(57)【要約】【課題】専用部品を用いずに簡便な方法による静音構造を備えた操作ボタン構造を提供すること。【解決手段】押下することで電子機器へ信号入力を行う押しボタン（１１）と、前記押しボタンに被せられ、前記押しボタンを保持する弾性部材（２１）と、前記押しボタン（１１）を外観に露出させる孔（５ａ）を有する外装部材（５）を有し、前記押しボタン（１１）には外装部材（５）からの脱落を防止するフランジ部（１１ａ）が形成され、前記弾性部材（２１）には前記フランジ部（１１ａ）の外縁に沿って形成され、外装へ当接ないしは干渉する壁（２１ａ）が設けられ、前記壁（２１ａ）に、前記フランジ部（１１ａ）の少なくとも一部を覆う被覆部（２１ｂ）が形成されていることを特徴とする。【選択図】図１
2016103332.tif 000002
【特許請求の範囲】
【請求項１】
押下することで電子機器へ信号入力を行う押しボタン（１１）と、前記押しボタンに被せられ、前記押しボタンを保持する弾性部材（２１）と、前記押しボタン（１１）を外観に露出させる孔（５ａ）を有する外装部材（５）を有し、前記押しボタン（１１）には外装部材（５）からの脱落を防止するフランジ部（１１ａ）が形成され、前記弾性部材（２１）には前記フランジ部（１１ａ）の外縁に沿って形成され、外装へ当接ないしは干渉する壁（２１ａ）が設けられ、前記壁（２１ａ）に、前記フランジ部（１１ａ）の少なくとも一部を覆う被覆部（２１ｂ）が形成されていることを特徴とする操作ボタン構造。
【請求項２】
前記フランジ部（１１ａ）には前記押しボタン（１１）の成形樹脂材料の注入口（１１ｃ）が設けられ、前記弾性部材（２１）に設けられた前記フランジ部（１１ａ）を覆う前記フランジ外形に沿って形成された壁（２１ａ）の一部が外側へ退避して形成され、前記壁（２１ａ）の退避した位置（２１ｆ）に前記注入口（１１ｃ）が配置されていることを特徴とする請求項１に記載の操作ボタン構造。
【請求項３】
前記弾性部材（２１）に形成された壁（２１ａ）の一部から被覆部（２１ｂ）の一部が埋まるようにリブ（２１ｄ）が形成され、前記押しボタン（１１）に設けられたフランジ部（１１ａ）には前記リブ（２１ｄ）と係合する切り欠き（１１ｄ）が形成されていることを特徴とする請求項１又は請求項２に記載の操作ボタン構造。
【請求項４】
前記弾性部材（２１）に形成された前記被覆部（２１ｂ）には、前記リブ（２１ｄ）の両脇に、スリット（２１ｅ）が設けられていることを特徴とする請求項３に記載の操作ボタン構造。
【請求項５】
請求項１乃至請求項４の何れか一項に記載の操作ボタン構造を備える撮像装置。
【発明の詳細な説明】
【技術分野】
【０００１】
本発明は、電子機器に備わる操作ボタンの構造に関し、特に電子機器に備わる操作ボタンの静音構造に関する。
【背景技術】
【０００２】
従来、電子機器には様々な操作を実行させるため、押しボタン式やスライド式、回転式を始めとして各種操作部材が実装されている。操作部材は操作を伴うため、操作音が発生するのが常であり、例えば押しボタン式の操作部材の場合には、ボタンから指が離れた際の反動でボタンと外装が衝突し、異音の発生するものがある。
【０００３】
しかしながら、録音機能を有する電子機器や、電子機器の品位を高めるために、各種操作部材には静音化が求められる。そこで、特許文献１では、押しボタンに設けられた外装からの抜け止め部へ弾性部材を貼付して静音化を行っている。
【先行技術文献】
【特許文献】
【０００４】
【特許文献１】特開２０１４−１３５１７９号公報
【発明の概要】
【発明が解決しようとする課題】
【０００５】
しかしながら、上述の特許文献１に開示された従来技術では、静音のために弾性部材を追加するためコストアップになっていた。
【０００６】
そこで、本発明の目的は、専用部品を用いずに簡便な方法による静音構造を備えた操作ボタン構造を提供することにある。
【課題を解決するための手段】
【０００７】
上記目的を達成するために、本発明の電子機器は、押下することで電子機器へ信号入力を行う押しボタン（１１）と、前記押しボタンに被せられ、前記押しボタンを保持する弾性部材（２１）と、前記押しボタン（１１）を外観に露出させる孔（５ａ）を有する外装部材（５）を有し、前記押しボタン（１１）には外装部材（５）からの脱落を防止するフランジ部（１１ａ）が形成され、前記弾性部材（２１）には前記フランジ部（１１ａ）の外縁に沿って形成され、外装へ当接ないしは干渉する壁（２１ａ）が設けられ、前記壁（２１ａ）に、前記フランジ部（１１ａ）の少なくとも一部を覆う被覆部（２１ｂ）が形成されていることを特徴とする。
【発明の効果】
【０００８】
本発明によれば、専用部品を用いずに簡便な方法による静音構造を備えた操作ボタン構造の提供を実現できる。
【図面の簡単な説明】
【０００９】
【図１】本発明の実施形態にかかわる押しボタン部周辺の断面図
【図２】本発明の実施形態にかかわる撮像装置１の斜視図
【図３】本発明の実施形態に撮影鏡筒３周りの断面図
【図４】本発明の実施形態にかかわる押しボタン及びゴム部材の展開図
【発明を実施するための形態】
【００１０】
以下に、本発明の好ましい実施の形態を、添付の図面に基づいて詳細に説明する。
【００１１】
［実施例］
図２に本発明の実施形態にかかわる撮像装置１の斜視図を示す。同図において本実施例に直接関係のない部品は省略し、その説明も省略する。
【００１２】
撮像装置１の略中央には被写体像を形成する撮影レンズ２や、被写体像を光電変換し電気的画像信号を得る不図示の撮像素子や、撮像素子へ到達する光量を調整する不図示のシャッター装置及び絞り装置を備えた撮影鏡筒３を備える。撮影鏡筒３の外周側には、前述の光量の調整や、撮像素子の感度調整等、各種設定を行う際に操作する回転式の操作部材である回転操作環４及び押下式の操作部材である押しボタン１１、１２が備わる。押しボタン１１及び１２は樹脂材料を射出成型することで形成され、外観部には不図示の印刷が施され、印刷によって操作が案内されることで誤操作を防止している。
【００１３】
図３に上述の撮影鏡筒３周りの断面図を示す。同図には本発明と直接関係のない撮影レンズ２を始めとする撮影鏡筒３内部の部品については表示を省略している。撮影鏡筒３の外周には撮像装置１の先端側、即ち被写体側から順にキャップ６、回転操作環４、円筒外装５で構成され、その内側と撮影鏡筒３との間にはベース部材７が配置されている。円筒外装５及びベース部材７は不図示の部品を介し撮像装置１へ固定される。キャップ６は円筒外装５とで回転操作環４を挟むように取り付けられ、ベース部材７を介し撮像装置１へ不図示のネジによって固定される。回転操作環４は円筒外装５とキャップ６とで挟まれることで所定のガタを除き撮像装置の前後方向への移動が規制されるが、回転方向へは規制がなく、回転可能に構成される。
【００１４】
図１に、図２に示す上側の押しボタン１１周辺の断面図を示す。上側の押しボタン１１及び下側の押しボタン１２は内部構成が同じため押しボタン１１に限って図示及び、説明を実施する。押しボタン１１にはゴム部材２１が被せられている。円筒外装５には押しボタン１１を外観に露出させる孔５ａが設けられ、ゴム部材２１が被せられた押しボタン１１が円筒外装５の内側から孔５ａを通って挿入され、板金３１によって円筒外装５側へ付勢される。
【００１５】
板金３１は不図示のネジによって撮像装置１内部へ固定される。押しボタン１１にはフランジ部１１ａが設けられているため、板金３１によって付勢されてもフランジ部１１ａがストッパーとなり、円筒外装５に設けられた孔５ａから外部へは脱落しない。以上より、適切な突出量で押しボタン１１の保持が行われる。押しボタン１１には後述するスイッチを押下する押し子１１ｂが形成され、ゴム部材２１には押し子１１ｂを収納する凹部２１ｃが形成されている。押し子１１ｂと凹部２１ｃは嵌合しており、お互いの偏芯を抑えている。
【００１６】
押し子１１ｂの下にはスイッチ９ａが実装されたフレキシブル配線基板９があり、押し子１１ｂとスイッチ９ａとの距離を適正に保った状態で、ベース部材７に固定される。前述の板金３１には押し子１１ｂに対応する位置に孔３１ａが設けられ、押し子１１ｂがその孔３１ａを通過してスイッチ９ａを押下可能に構成される。フレキシブル配線基板９は不図示のコネクタにより内部のシステム回路と接続され、撮影者によって押しボタン１１ないしは１２が押下されると、スイッチ入力信号が不図示のシステム回路へ伝送される。
【００１７】
ゴム部材２１には押しボタン１１のフランジ部１１ａを取り囲むように外周に沿って壁部２１ａがそれぞれ設けられ、前述の板金３１によって付勢されると壁部２１ａの先端が円筒外装５へ干渉するように付勢される。この付勢によって円筒外装５と押しボタン１１の隙間から水滴や塵が浸入しても、ゴム部材２１より内部へは浸入させにくくすることが可能となる。ゴム部材に設けられた壁部２１ａには被覆部２１ｂが形成されている。この被覆部２１ｂは、押しボタン１１がゴム部材２１に被せられた状態で、押しボタンのフランジ部１１ａを覆うよう形成される。
【００１８】
フランジ部１１ａが被覆部２１ｂで覆われる事で押しボタン１１のフランジ部１１ａと円筒外装５とは直接当接せずに、間にゴム部材２１が介在する。この構成により、撮影者が押しボタン１１を操作した後、押しボタン１１から指を離した際の反動でボタンが振動しても、円筒外装５とフランジ部１１ａが直接当接しないため、ゴム部材２１が介在しない場合に比べ静音化が可能となる。
【００１９】
図４に、押しボタン１１とゴム部材２１の展開図を示す。同図に示すように押しボタン１１には樹脂材料を射出成形する際の樹脂注入口、いわゆるゲート１１ｃが形成されている。一方、ゴム部材の壁部２１ａはゲート１１ｃに沿って外縁側へ退避して設けられている。この退避壁部２１ｆにも前述の被覆部２１ｂが形成され、ゲート部１１ｃが円筒外装５に直接当接しないよう配慮がなされている。また、押しボタン１１には切り欠き１１ｄが形成されている。ゴム部材２１には、切り欠き１１ｄと係合するようにリブ２１ｄが形成されている。
【００２０】
前述したように押しボタン１１には印刷が施されるため、押しボタン１１が回転してしまうと印刷が傾くという問題があった。ゴム部材に設けられたリブ２１ｄに、押しボタン１１に設けられた切り欠き１１ｄが係合することで押しボタン１１の回転を抑えている。ゴム部材２１には被覆部２１ｂが設けられることで、金型を離型する際に干渉する部位、いわゆるアンダーカット部が生じる。ゴム部材２１は弾性に富むゴムによって形成されるため、無理やり離型させることは可能であるが、前述の回転を抑えるリブ２１ｄの両脇は被覆部２１ｂがリブ２１ｄによって補強されるため変形しにくく、無理やり離型させると捲れが発生し易い。このため、リブ２１ｄの両脇は被覆部２１ｂにスリット２１ｅを設け、被覆部２１ｂを変形し易くして被覆部２１ｂの捲れを抑えている。
【００２１】
以上の構成により、専用部材を追加せずに、防滴用のゴム部材２１の形状の工夫によって、撮影者が押しボタン１１から指を離した際に発生する反動による衝突音を低減し、押しボタン１１を静音化させることが可能となる。
【００２２】
以上、本発明の好ましい実施形態について説明したが、本発明はこれらの実施形態に限定されず、その要旨の範囲内で種々の変形及び変更が可能である。
【符号の説明】
【００２３】
５  円筒外装、５ａ  孔、１１  押しボタン、１１ａ  フランジ部、１１ｃ  ゲート、
１１ｄ  切り欠き、２１  ゴム部材、２１ａ  壁部、２１ｂ  被覆部、２１ｄ  リブ、
２１ｆ  退避壁部
【図１】
2016103332.tif 000003
【図２】
2016103332.tif 000004
【図３】
2016103332.tif 000005
【図４】
2016103332.tif 000006